(57)【要約】      （修正有）【課題】外観全体のバランスが良好で、着脱が容易な無周枠ダウンライトを提供する。【解決手段】着脱が容易な無周枠ダウンライトは、装着孔が形成された天井１０内に嵌設されるとともに、ランプホルダ３０及びランプ２０を備える。ランプホルダは、天井上に取付けられる。ランプは、ランプホルダ上に係合されて下方を照らすとともに、照明灯、接続リング、ハウジング２２、頂部に放熱片２４３を有する放熱筐体、接続杆２５及び装着ベース２６を有する。装着ベースは、放熱筐体の底部に係合される。接続杆は、ハウジング及び放熱筐体に挿通される。ハウジングは、放熱筐体上に取付けられる。接続リングは、ハウジングの外側に取付けられる。【選択図】図３
0003226697.tif 000002
【実用新案登録請求の範囲】
【請求項１】
装着孔が形成された天井内に嵌設されるとともに、ランプホルダ及びランプが備えられ、着脱が容易な無周枠ダウンライトであって、
前記ランプホルダは、天井上に取付けられ、
前記ランプは、前記ランプホルダ上に係合されて下方を照らすとともに、照明灯、接続リング、ハウジング、放熱筐体、接続杆及び装着ベースを有し、
前記装着ベースは、前記放熱筐体の底部に係合され、
前記接続杆は、前記ハウジング及び前記放熱筐体に挿通され、
前記ハウジングは、前記放熱筐体上に取付けられ、
前記接続リングは、前記ハウジングの外側に取付けられることを特徴とする着脱が容易な無周枠ダウンライト。
【請求項２】
前記ランプホルダは、複数の装着部材及びプレインストールリングを有し、
前記装着部材は、前記プレインストールリングの外側周縁に取付けられて天井に固定されることを特徴とする請求項１に記載の着脱が容易な無周枠ダウンライト。
【請求項３】
前記装着部材は、摺動部と、前記摺動部と一体に連続接続された装着部と、を有し、
前記装着部は、前記天井上に連結固定され、
前記プレインストールリングの外側には、前記摺動部に対応した複数の摺動槽が形成され、
前記摺動部は、前記摺動槽内に係合され、前記摺動槽内で上下に摺動可能であることを特徴とする請求項２に記載の着脱が容易な無周枠ダウンライト。
【請求項４】
複数の固定杆をさらに備え、
前記摺動部上には、上下方向に延在した第１の穿孔が形成され、
前記摺動槽内には、上下方向に位置する複数の第２の穿孔が形成され、
前記固定杆は、前記第１の穿孔及び前記第２の穿孔に挿通され、前記プレインストールリングが前記装着部材上に固定されることを特徴とする請求項３に記載の着脱が容易な無周枠ダウンライト。
【請求項５】
前記ハウジング上には、上下方向に貫通した第３の穿孔と、横方向に延びた第１の接続孔と、が形成され、
前記放熱筐体の外側には、複数の突出部が設けられ、
前記突出部上には、前記放熱筐体に横方向に貫通した第２の接続孔が形成され、
前記接続杆は、前記第１の接続孔及び前記第２の接続孔に挿通され、前記放熱筐体が前記ハウジングに接続されることを特徴とする請求項１に記載の着脱が容易な無周枠ダウンライト。
【請求項６】
前記放熱筐体の頂部には、複数の放熱片が設けられ、
前記放熱片は、前記第３の穿孔に挿通され、前記ハウジングの外側に至るまで延びることを特徴とする請求項５に記載の着脱が容易な無周枠ダウンライト。
【請求項７】
前記装着ベース上には、収容槽が形成され、
前記収容槽の槽壁の頂部には、斜め下に延びたバンプが設けられ、
前記バンプは、前記突出部上に係合されることを特徴とする請求項１に記載の着脱が容易な無周枠ダウンライト。
【請求項８】
前記ハウジングには、装着槽が形成され、
前記接続リングは、前記装着槽内に係合され、
プレインストールリングの内側には、係合槽が形成され、
前記接続リングは、前記係合槽内に係合され、
前記ハウジングは、前記プレインストールリング上に接続されることを特徴とする請求項１に記載の着脱が容易な無周枠ダウンライト。
【考案の詳細な説明】
【技術分野】
【０００１】
本考案は、照明器具に関するものであり、さらに詳しくは、着脱が容易な無周枠ダウンライトに関するものである。
【背景技術】
【０００２】
ダウンライトとは、天井に埋め込んで取付けられる照明器具であり、ダウンライトは、天井に埋め込んで取付けられることにより外観が良好となるため、生活の様々な分野で利用されている。
【０００３】
しかし、従来のダウンライトは、周枠が大きめであったため、照明器具の外観全体のバランスが悪い上、照明器具の着脱も容易ではないという難点があった。
【考案の概要】
【考案が解決しようとする課題】
【０００４】
従って、本考案の課題は、前記の通りの従来技術の問題を改善することが可能であり、着脱が容易なダウンライトを提供することにある。
【課題を解決するための手段】
【０００５】
そこで、本考案者は、本考案の前記課題を解決するため鋭意検討を重ねた結果、無周枠ダウンライトを提供することにより、前記課題を解決できる点に着目し、かかる知見に基いて本考案に想到するに至った。  
【０００６】
すなわち、上記課題を解決するために、本考案の第１の形態によれば、装着孔が形成された天井内に嵌設されるとともに、ランプホルダ及びランプを備えた、着脱が容易な無周枠ダウンライトであって、前記ランプホルダは、天井上に取付けられ、前記ランプは、前記ランプホルダ上に係合されて下方を照らすとともに、照明灯、接続リング、ハウジング、放熱筐体、接続杆及び装着ベースを有し、前記装着ベースは、前記放熱筐体の底部に係合され、前記接続杆は、前記ハウジング及び前記放熱筐体に挿通され、前記ハウジングは、前記放熱筐体上に取付けられ、前記接続リングは、前記ハウジングの外側に取付けられることを特徴とする、着脱が容易な無周枠ダウンライトが提供される。
【０００７】
前記ランプホルダは、複数の装着部材及びプレインストールリングを有し、前記装着部材は、前記プレインストールリングの外側周縁に取付けられて天井に固定されることが好ましい。
【０００８】
前記装着部材は、摺動部と、前記摺動部と一体に連続接続された装着部とを有し、前記装着部は、前記天井上に連結固定され、前記プレインストールリングの外側には、前記摺動部に対応した複数の摺動槽が形成され、前記摺動部は、前記摺動槽内に係合され、前記摺動槽内で上下に摺動可能であることが好ましい。
【０００９】
複数の固定杆をさらに備え、前記摺動部上には、上下方向に延在した第１の穿孔が形成され、前記摺動槽内には、上下方向に位置する複数の第２の穿孔が形成され、前記固定杆は、前記第１の穿孔及び前記第２の穿孔に挿通され、前記プレインストールリングが前記装着部材上に固定されることが好ましい。
【００１０】
前記ハウジング上には、上下方向に貫通した第３の穿孔と、横方向に延びた第１の接続孔と、が形成され、前記放熱筐体の外側には、複数の突出部が設けられ、前記突出部上には、前記放熱筐体に横方向に貫通した第２の接続孔が形成され、前記接続杆は、前記第１の接続孔及び前記第２の接続孔に挿通され、前記放熱筐体が前記ハウジングに接続されることが好ましい。
【００１１】
前記放熱筐体の頂部には、複数の放熱片が設けられ、前記放熱片は、前記第３の穿孔に挿通され、前記ハウジングの外側に至るまで延びることが好ましい。
【００１２】
前記装着ベース上には、収容槽が形成され、前記収容槽の槽壁の頂部には、斜め下に延びたバンプが設けられ、前記バンプは、前記突出部上に係合されることが好ましい。
【００１３】
前記ハウジングには、装着槽が形成され、前記接続リングは、前記装着槽内に係合され、プレインストールリングの内側には、係合槽が形成され、前記接続リングは、前記係合槽内に係合され、前記ハウジングは、前記プレインストールリング上に接続されることが好ましい。
【００１４】
かくして、本考案の要旨は次の（１）〜（８）に記載の通りのものである。
【００１５】
（１）装着孔が形成された天井内に嵌設されるとともに、ランプホルダ及びランプが備えられ、着脱が容易な無周枠ダウンライトであって、
前記ランプホルダは、天井上に取付けられ、
前記ランプは、前記ランプホルダ上に係合されて下方を照らすとともに、照明灯、接続リング、ハウジング、放熱筐体、接続杆及び装着ベースを有し、
前記装着ベースは、前記放熱筐体の底部に係合され、
前記接続杆は、前記ハウジング及び前記放熱筐体に挿通され、
前記ハウジングは、前記放熱筐体上に取付けられ、
前記接続リングは、前記ハウジングの外側に取付けられることを特徴とする着脱が容易な無周枠ダウンライト。
【００１６】
（２）前記ランプホルダは、複数の装着部材及びプレインストールリングを有し、
前記装着部材は、前記プレインストールリングの外側周縁に取付けられて天井に固定されることを特徴とする前記（１）に記載の着脱が容易な無周枠ダウンライト。
【００１７】
（３）前記装着部材は、摺動部と、前記摺動部と一体に連続接続された装着部と、を有し、
前記装着部は、前記天井上に連結固定され、
前記プレインストールリングの外側には、前記摺動部に対応した複数の摺動槽が形成され、
前記摺動部は、前記摺動槽内に係合され、前記摺動槽内で上下に摺動可能であることを特徴とする前記（２）に記載の着脱が容易な無周枠ダウンライト。
【００１８】
（４）複数の固定杆をさらに備え、
前記摺動部上には、上下方向に延在した第１の穿孔が形成され、
前記摺動槽内には、上下方向に位置する複数の第２の穿孔が形成され、
前記固定杆は、前記第１の穿孔及び前記第２の穿孔に挿通され、前記プレインストールリングが前記装着部材上に固定されることを特徴とする前記（３）に記載の着脱が容易な無周枠ダウンライト。
【００１９】
（５）前記ハウジング上には、上下方向に貫通した第３の穿孔と、横方向に延びた第１の接続孔と、が形成され、
前記放熱筐体の外側には、複数の突出部が設けられ、
前記突出部上には、前記放熱筐体に横方向に貫通した第２の接続孔が形成され、
前記接続杆は、前記第１の接続孔及び前記第２の接続孔に挿通され、前記放熱筐体が前記ハウジングに接続されることを特徴とする前記（１）に記載の着脱が容易な無周枠ダウンライト。
【００２０】
（６）前記放熱筐体の頂部には、複数の放熱片が設けられ、
前記放熱片は、前記第３の穿孔に挿通され、前記ハウジングの外側に至るまで延びることを特徴とする前記（５）に記載の着脱が容易な無周枠ダウンライト。
【００２１】
（７）前記装着ベース上には、収容槽が形成され、
前記収容槽の槽壁の頂部には、斜め下に延びたバンプが設けられ、
前記バンプは、前記突出部上に係合されることを特徴とする前記（１）に記載の着脱が容易な無周枠ダウンライト。
【００２２】
（８）前記ハウジングには、装着槽が形成され、
前記接続リングは、前記装着槽内に係合され、
プレインストールリングの内側には、係合槽が形成され、
前記接続リングは、前記係合槽内に係合され、
前記ハウジングは、前記プレインストールリング上に接続されることを特徴とする前記（１）に記載の着脱が容易な無周枠ダウンライト。
【考案の効果】
【００２３】
本考案の着脱が容易な無周枠ダウンライトは、上述したランプホルダを天井内部に固定し、上述したランプは、上述したランプホルダ内に係合される。上述したランプは、照明灯、接続リング、ハウジング、放熱筐体、接続杆及び装着ベースを含む。上述した装着ベースは、放熱筐体の底部に係合される。上述した接続杆は、ハウジング及び放熱筐体に挿通され、ハウジングは放熱筐体上に取付けられる。上述した接続リングは、ハウジングの外側に取付ける。このように本考案の着脱が容易な無周枠ダウンライトは、従来のランプの周枠が大きすぎ、照明器具の外観全体のバランスが悪い上、照明器具の着脱も容易でなかった問題を改善することができる。そのため、実用的価値が高く、普及させる価値がある。
【図面の簡単な説明】
【００２４】
【図１】本考案の一実施形態に係る着脱が容易な無周枠ダウンライトを示す正面図である。
【図２】図１の着脱が容易な無周枠ダウンライトの別の角度からの斜視図である。
【図３】図１の着脱が容易な無周枠ダウンライトを示す分解斜視図である。
【図４】図１の着脱が容易な無周枠ダウンライトの別の角度からの分解斜視図である。
【図５】図１の着脱が容易な無周枠ダウンライトを示す断面図である。
【考案を実施するための形態】
【００２５】
以下、図面により、本考案を具体的に説明する。もっとも、本考案は、かかる図面により限定されるものではない。
【００２６】
図１〜図５を参照する。図１〜図５に示すように、本考案の一実施形態に係る着脱が容易な無周枠ダウンライトは、天井１０内に嵌設され、照明機器として用いる。上述した天井１０上には、装着孔１１が形成される。上述した着脱が容易な無周枠ダウンライトは、ランプ２０及びランプホルダ３０を備える。上述したランプホルダ３０は、天井１０上に取付けられる。上述したランプ２０は、上述したランプホルダ３０上に係合され、下方を照らす。上述したランプ２０は、照明灯２７、接続リング２１、ハウジング２２、放熱筐体２４、接続杆２５及び装着ベース２６を含む。上述した装着ベース２６は、放熱筐体２４の底部に係合される。上述した接続杆２５は、ハウジング２２及び放熱筐体２４に挿通され、ハウジング２２が放熱筐体２４上に取付けられる。上述した接続リング２１は、ハウジング２２の外側に取付けられる。
【００２７】
上述したランプホルダ３０は、複数の装着部材３１及びプレインストールリング３２を含む。上述した装着部材３１は、プレインストールリング３２の外側周縁に取付けられて天井１０に固定される。上述した装着部材３１は、摺動部３１１と、摺動部３１１と一体に連続接続された装着部３１２と、を含む。上述した装着部３１２は、天井１０上に連結固定される。上述したプレインストールリング３２の外側には、摺動部３１１に対応した複数の摺動槽３１３が形成され、上述した摺動部３１１が上述した摺動槽３１３内に係合される上、上述した摺動槽３１３内で上下に摺動させると、プレインストールリング３２の高さを調整することができる。上述した摺動部３１１上には、上下方向に延在した第１の穿孔３１４が形成される。上述した摺動槽３１３内には、上下方向に位置する複数の第２の穿孔３１５が形成される。上述したランプ２０は、複数の固定杆（図示せず）を含む。上述した固定杆は、第１の穿孔３１４及び第２の穿孔３１５に挿通され、プレインストールリング３２が装着部材３１上に固定される。
【００２８】
上述したハウジング２２上には、上下方向に貫通した第３の穿孔２２１と、横方向に延びた第１の接続孔２２２と、が形成される。上述した放熱筐体２４の外側には、複数の突出部２４１が設けられる。上述した突出部２４１上には、放熱筐体２４に横方向に貫通した第２の接続孔２２４が形成される。上述した接続杆２５は、第１の接続孔２２２及び第２の接続孔２２４に挿通され、放熱筐体２４をハウジング２２に接続する。上述した放熱筐体２４の頂部には、複数の放熱片２４３が設けられる。上述した放熱片２４３は、第３の穿孔に挿通され、ハウジング２２の外側に至るまで延び、放熱効果を高めてもよい。上述した装着ベース２６上には、収容槽２６１が形成される。上述した収容槽２６１の槽壁の頂部には、斜め下に延びたバンプ２６２が設けられる。上述したバンプ２６２は、上述した突出部２４１上に係合されるため、装着ベース２６が放熱筐体２４上に取付けられる。
【００２９】
上述したハウジング２２には、装着槽２２３が形成される。上述した接続リング２１は、上述した装着槽２２３内に係合される。上述したプレインストールリング３２の内側には、係合槽３２１が形成され、上述した接続リング２１を上述した係合槽３２１内に係合することにより、ハウジング２２をプレインストールリング３２上に接続し、最終的に上述したランプ２０を上述したランプホルダ３０上に係合し、下向きに照らす。
【００３０】
上述したことから分かるように、本考案の着脱が容易な無周枠ダウンライトは、上述したランプホルダ３０を天井１０内部に固定し、上述したランプ２０は、上述したランプホルダ３０内に係合される。上述したランプ２０は、照明灯、接続リング２１、ハウジング２２、放熱筐体２４、接続杆２５及び装着ベース２６を含む。上述した装着ベース２６は、放熱筐体２４の底部に係合される。上述した接続杆２５は、ハウジング２２及び放熱筐体２４に挿通され、ハウジング２２は放熱筐体２４上に取付けられる。上述した接続リング２１は、ハウジング２２の外側に取付けられる。このように本考案の着脱が容易な無周枠ダウンライトは、従来のランプ２０の周枠が大きすぎ、照明器具の外観全体のバランスが悪い上、照明器具の着脱も容易でなかった問題を改善することができる。そのため、実用的価値が高く、普及させる価値がある。
【符号の説明】
【００３１】
１０  天井
１１  装着孔
２０  ランプ
２１  接続リング
２２  ハウジング
２４  放熱筐体
２５  接続杆
２６  装着ベース
２７  照明灯
３０  ランプホルダ
３１  装着部材
３２  プレインストールリング
２２１  第３の穿孔
２２２  第１の接続孔
２２３  装着槽
２２４  第２の接続孔
２４１  突出部
２４３  放熱片
２６１  収容槽
２６２  バンプ
３１１  摺動部
３１２  装着部
３１３  摺動槽
３１４  第１の穿孔
３１５  第２の穿孔
３２１  係合槽
【図１】
0003226697.tif 000003
【図２】
0003226697.tif 000004
【図３】
0003226697.tif 000005
【図４】
0003226697.tif 000006
【図５】
0003226697.tif 000007
【手続補正書】
【提出日】令和2年4月13日(2020.4.13)
【手続補正１】
【補正対象書類名】実用新案登録請求の範囲
【補正対象項目名】全文
【補正方法】変更
【補正の内容】
【実用新案登録請求の範囲】
【請求項１】
装着孔が形成された天井内に嵌設されるとともに、ランプホルダ及びランプが備えられ、着脱が容易な無周枠ダウンライトであって、
前記ランプホルダは、天井上に取付けられ、
前記ランプは、前記ランプホルダ上に係合されて下方を照らすとともに、照明灯、接続リング、ハウジング、放熱筐体、接続杆及び装着ベースを有し、
前記装着ベースは、前記放熱筐体の底部に係合され、
前記接続杆は、前記ハウジング及び前記放熱筐体に挿通され、
前記ハウジングは、前記放熱筐体上に取付けられ、
前記接続リングは、前記ハウジングの外側に取付けられることを特徴とする着脱が容易な無周枠ダウンライト。
【請求項２】
前記ランプホルダは、複数の装着部材及びプレインストールリングを有し、
前記装着部材は、前記プレインストールリングの外側周縁に取付けられて天井に固定されることを特徴とする請求項１に記載の着脱が容易な無周枠ダウンライト。
【請求項３】
前記装着部材は、摺動部と、前記摺動部と一体に連続接続された装着部と、を有し、
前記装着部は、前記天井上に連結固定され、
前記プレインストールリングの外側には、前記摺動部に対応した複数の摺動槽が形成され、
前記摺動部は、前記摺動槽内に係合され、前記摺動槽内で上下に摺動可能であることを特徴とする請求項２に記載の着脱が容易な無周枠ダウンライト。
【請求項４】
複数の固定杆をさらに備え、
前記摺動部上には、上下方向に延在した第１の穿孔が形成され、
前記摺動槽内には、上下方向に位置する複数の第２の穿孔が形成され、
前記固定杆は、前記第１の穿孔及び前記第２の穿孔に挿通され、前記プレインストールリングが前記装着部材上に固定されることを特徴とする請求項３に記載の着脱が容易な無周枠ダウンライト。
【請求項５】
前記ハウジング上には、上下方向に貫通した第３の穿孔と、横方向に延びた第１の接続孔と、が形成され、
前記放熱筐体の外側には、複数の突出部が設けられ、
突出部上には、前記放熱筐体に横方向に貫通した第２の接続孔が形成され、
前記接続杆は、前記第１の接続孔及び前記第２の接続孔に挿通され、前記放熱筐体が前記ハウジングに接続されることを特徴とする請求項１に記載の着脱が容易な無周枠ダウンライト。
【請求項６】
前記放熱筐体の頂部には、複数の放熱片が設けられ、
前記放熱片は、前記第３の穿孔に挿通され、前記ハウジングの外側に至るまで延びることを特徴とする請求項５に記載の着脱が容易な無周枠ダウンライト。
【請求項７】
前記装着ベース上には、収容槽が形成され、
前記収容槽の槽壁の頂部には、斜め下に延びたバンプが設けられ、
前記バンプは、前記突出部上に係合されることを特徴とする請求項５に記載の着脱が容易な無周枠ダウンライト。
【請求項８】
前記ハウジングには、装着槽が形成され、
前記接続リングは、前記装着槽内に係合され、
プレインストールリングの内側には、係合槽が形成され、
前記接続リングは、前記係合槽内に係合され、
前記ハウジングは、前記プレインストールリング上に接続されることを特徴とする請求項１に記載の着脱が容易な無周枠ダウンライト。